(57)【要約】【課題】  クリップ前端側の装飾体が容易に外れてしまうのを防ぐことができる筆記具用クリップを提供する。【解決手段】  クリップ本体１０に装飾体２０を装着してなる筆記具用クリップにおいて、クリップ本体１０の前端側には、クリップ裏面側へ突起１１ａを突出させた係止部１１が設けられ、装飾体２０には、前記クリップ本体１０の前端側を挿入可能な被挿入穴２０ａが設けられるとともに、該被挿入穴２０ａ内で前記突起１１ａと嵌まり合う被係止部２１が設けられ、係止部１１は、被係止部２１内に挿入されるのに伴って被挿入穴２０ａの内面に押圧されてクリップ表部側へ弾性変形し、その後の復元によって突起１１ａをクリップ裏部側へ突出させて被係止部２１に嵌め合わせる。【選択図】図１
2010089453.tif 000002
【特許請求の範囲】
【請求項１】
クリップ本体に装飾体を装着してなる筆記具用クリップにおいて、
前記クリップ本体の前端側には、クリップ裏面側へ突起を突出させた係止部が設けられ、
前記装飾体には、前記クリップ本体の前端側を挿入可能な被挿入穴が設けられるとともに、該被挿入穴内で前記突起と嵌まり合う被係止部が設けられ、
前記係止部は、前記被挿入穴内に挿入されるのに伴って前記被挿入穴の内面に押圧されてクリップ表部側へ弾性変形し、その後の復元によって前記突起をクリップ裏部側へ突出させて前記被係止部に嵌め合わせるように設けられていることを特徴とする筆記具用クリップ。
【請求項２】
前記係止部は、前記クリップ本体に略Ｕ字状の貫通孔を形成することで、その貫通孔の内側部分にクリップ表部側へ弾性的に撓み可能な撓み片部を形成するとともに、該撓み片部の先端側に、前記被係止部と嵌まり合う前記突起を形成していることを特徴とする請求項１記載の筆記具用クリップ。
【請求項３】
前記装飾体における前記被挿入穴の内部には、前記被係止部に前記突起を嵌め合わせた状態の前記係止部に対し、クリップ表部側から当接するように当接部が設けられていることを特徴とする請求項１又は２記載の筆記具用クリップ。
【請求項４】
前記当接部は、前記被挿入穴内に挿入される前記係止部に押圧されて弾性変形した後に復元して、前記被係止部に前記突起を嵌め合わせた状態の前記係止部に対しクリップ表部側から当接するように設けられていることを特徴とする請求項３記載の筆記具用クリップ。
【請求項５】
前記クリップ本体における前記係止部よりも前端側には、前方へ延設された係合片部が設けられ、
前記装飾体における前記被挿入穴内には、前記被挿入穴内へ挿入された際の前記係合片部を前方へ導くガイド凹部が設けられていることを特徴とする請求項１乃至４何れか１項記載の筆記具用クリップ。
【請求項６】
前記装飾体には、クリップ裏面側へ突出する玉部が設けられていることを特徴とする請求項１乃至６何れか１項記載の筆記具用クリップ。
【発明の詳細な説明】
【技術分野】
【０００１】
本発明は、筆記具の軸筒後端側に設けられる筆記具用クリップに関し、詳しくはクリップ本体の前端側に装飾体を装着してなる筆記具用クリップに関するものである。
【背景技術】
【０００２】
従来、この種の発明には、例えば特許文献１に記載されたもののように、クリップ本体（１０）の前端側に装飾体（２０）を装着するようにした筆記具用クリップがある。
この従来技術によれば、クリップ本体（１０）の先端が、装飾体（２０）の裏面に形成された袋状の固定部（２１）に差し込まれることで、クリップ本体（１０）と装飾体（２０）とが一体化される。固定部（２１）にはスリット部（２２）が設けられ、このスリット部（２２）にクリップ本体（１０）先端側の抜け止め突起（１１）が挿入されるようになっている。
【０００３】
しかしながら、前記従来技術によれば、装飾体（２０）がクリップ本体（１０）前方へ引っ張られた場合、前記スリット部（２２）が拡がってクリップ本体（１０）が前記固定部（２１）から外れてしまうおそれがある。
【特許文献１】特開２００２−５２８９３号公報
【発明の開示】
【発明が解決しようとする課題】
【０００４】
本発明は上記従来事情に鑑みてなされたものであり、その課題とする処は、クリップ前端側の装飾体が容易に外れてしまうのを防ぐことができる筆記具用クリップを提供することにある。
【課題を解決するための手段】
【０００５】
上記課題を解決するための技術的手段は、クリップ本体に装飾体を装着してなる筆記具用クリップにおいて、前記クリップ本体の前端側には、クリップ裏面側へ突起を突出させた係止部が設けられ、前記装飾体には、前記クリップ本体の前端側を挿入可能な被挿入穴が設けられるとともに、該被挿入穴内で前記突起と嵌まり合う被係止部が設けられ、前記係止部は、前記被挿入穴内に挿入されるのに伴って前記被挿入穴の内面に押圧されてクリップ表部側へ弾性変形し、その後の復元によって前記突起をクリップ裏部側へ突出させて前記被係止部に嵌め合わせるように設けられていることを特徴とする。
この技術的手段によれば、クリップ本体の前端側が装飾体の被挿入穴内に挿入されると、係止部が被挿入穴内面に押圧されてクリップ表部側へ弾性変形する。係止部は、前記弾性変形の後の復元力により突起をクリップ裏部側へ突出させて被係止部に嵌め合わせる。よって、装飾体は、クリップ本体に対し容易に抜けることのないように装着される。
【０００６】
更なる技術的手段では、前記係止部は、前記クリップ本体に略Ｕ字状の貫通孔を形成することで、その貫通孔の内側部分にクリップ表部側へ弾性的に撓み可能な撓み片部を形成するとともに、該撓み片部の先端側に、前記被係止部と嵌まり合う前記突起を形成していることを特徴とする。
この技術的手段によれば、係止部を、撓み片部と突起とからなる簡素で生産性の良好な具体的構造とすることができる。
【０００７】
更なる技術的手段では、前記装飾体における前記被挿入穴の内部には、前記被係止部に前記突起を嵌め合わせた状態の前記係止部に対し、クリップ表部側から当接するように当接部が設けられていることを特徴とする。
この技術的手段によれば、装飾体における被挿入穴内で、被係止部に係止部の突起が嵌まり合うと、その係止部に対し、クリップ表部側から当接部が当接する。したがって、係止部がクリップ表部側へ変形して突起が被係止部から抜け出てしまうようなことを防ぐことができる。
【０００８】
更なる技術的手段では、前記当接部は、前記被挿入穴内に挿入される前記係止部に押圧されて弾性変形した後に復元して、前記被係止部に前記突起を嵌め合わせた状態の前記係止部に対しクリップ表部側から当接するように設けられていることを特徴とする。
この技術的手段によれば、当接部が係止部に押圧されて弾性変形する構成としているため、係止部を被係止部に嵌める際に、当接部が邪魔になるようなことを防ぐことができる。
【０００９】
更なる技術的手段では、前記クリップ本体における前記係止部よりも前端側には、前方へ延設された係合片部が設けられ、前記装飾体における前記被挿入穴内には、前記被挿入穴内へ挿入された際の前記係合片部を前方へ導くガイド凹部が設けられていることを特徴とする。
この技術的手段によれば、装飾体の被挿入穴内へクリップ本体を挿入する際、クリップ本体前端側の係合片部がガイド凹部によって前方へ導かれる。したがって、クリップ本体に装飾体を装着する過程において装飾体ががたつくのを防ぎ、その装着作業をスムーズに行うことができる。
【００１０】
更なる技術的手段では、前記装飾体には、クリップ裏面側へ突出する玉部が設けられていることを特徴とする。
この技術的手段によれば、クリップ本体の前端側に装飾体を装着することで、玉部を構成することができる。
【発明の効果】
【００１１】
本発明は、以上説明したように構成されているので、以下に記載されるような作用効果を奏する。
クリップ本体に対し装飾体を装着する際、クリップ本体側の係止部が、装飾体の被挿入穴内に挿入されるのに伴って弾性変形し、その後の復元によって突起がクリップ裏側へ突出して被係止部に嵌まり合う。したがって、クリップ本体の前端側に装飾体を頑強に接続することができ、装飾体が容易に外れてしまうようなことを防ぐことができる。
【発明を実施するための最良の形態】
【００１２】
以下、本発明の実施の形態を図面に基づいて説明する。
筆記具用クリップＡは、クリップ本体１０と、該クリップ本体１０の前端側に装着された装飾体２０とからなり、筆記具の軸筒１後端側に装着される（図１参照）。この筆記具用クリップＡは、後端部が軸筒１側へ押圧された際に前端部を軸筒１外周面から離間して開放する開放操作機能付きクリップであり、軸筒１に対する取付構造は、は、例えば、特開２００１−１４６０９４に記載された周知の構造とすればよい。
なお、本明細書中において、前端側とは、筆記具用クリップＡの長手方向における先端側を意味し、より具体的には筆記具用クリップＡにおいて玉部２１ａを有する側を意味する。また、後端側とは、前記前端側に対する逆側のことを意味する。
【００１３】
クリップ本体１０は、弾性的に撓むことが可能な硬質合成樹脂材料から成形され、その前端側の表部側（図１によれば上部側）に凹状部分１０ａを有するとともに、同前端側の裏部側に平板状部分１０ｂを有する。
平板状部分１０ｂには、クリップ裏面側（図１によれば下側）へ突起１１ａを突出させた係止部１１と、該係止部１１よりも前側に位置する係合片部１２とが形成されている。
【００１４】
係止部１１は、図４に示すように、前記平板状部分１０ｂに略Ｕ字状（コ字状や、凹字状、Ｖ字状等を含む）の貫通孔１０ｂ１を形成することで、該貫通孔１０ｂ１の内側部分に、クリップ表部側（図１によれば上部側）へ弾性的に撓み可能な撓み片部１１ｂを形成するとともに、該撓み片部１１ｂの先端側に、後述する装飾体２０の被係止部２１に嵌まり合う突起１１ａを形成してなる。
【００１５】
撓み片部１１ｂは、その前端側（図１によれば左端側）がクリップ裏部側から押圧力を受けることで、クリップ表部側へ弾性的に撓み、前記押圧力が除去されることで、撓みのない状態に復元する。
【００１６】
突起１１ａは、撓み片部１１ｂの前端側からクリップ裏部側へ突出しており、装飾体２０がクリップ前方へ抜かれてしまうのを阻む係止爪状に形成されている。
より詳細に説明すれば、この突起１１ａは、前端側に傾斜面１１ａ１を有するとともに、該傾斜面１１ａ１の最後端部に係止面１１ａ２を有する（図２参照）。
傾斜面１１ａ１は、後方に行くにしたがって軸筒１側へ近づく傾斜面であり、クリップ本体１０が装飾体２０の被挿入穴２０ａに挿入される際に、被挿入穴２０ａ内面の入口縁部分に当接する（図２（ｂ）参照）。したがって、この傾斜面１１ａ１によれば、クリップ本体１０の挿入方向（図２中の左方向）の力が、撓み片部１１ｂをクリップ表部側へ撓ませる方向（図２中の上方向）の力に変換される。
また、係止面１１ａ２は、装飾体２０の被係止部２１に挿入された際に、被係止部２１内面におけるクリップ後端側（図２によれば右側）の面に当接して、装飾体２０がクリップ前方（図２における左方向）へ抜けてしまうのを阻む。
【００１７】
また、係合片部１２は、クリップ本体１０の最前端側に配置され、前後方向（図１及び２の左右方向）へわたる平板状の部分である。この係合片部１２は、クリップ本体１０が装飾体２０内に挿入される過程で、装飾体２０前端側のガイド凹部２３に差し込まれる。
【００１８】
また、装飾体２０は、クリップ本体１０の前端側部分を挿入させる（換言すればクリップ本体１０の前端側部分を覆う）ようにして形成された有底穴状の被挿入穴２０ａと、該被挿入穴２０ａ内におけるクリップ裏面側に設けられた被係止部２１と、被挿入穴２０ａ内の前端側における表部側から裏部側へ突出するように設けられた当接部２２と、被挿入穴２０ａ内における最前端側に設けられたガイド凹部２３と、クリップ表面側に設けられた装飾部２４と、クリップ裏面側に設けられた玉部２５とを有している。
この装飾体２０は、例えば、有害物質を含まない弾性を有する塩化ビニルや、エラストマー樹脂等、弾性を有する合成樹脂材料から一体成形される。
【００１９】
被挿入穴２０ａは、少なくともクリップ本体１０の凹状部分１０ａ及び平板状部分１０ｂを覆う長さに形成される。
この被挿入穴２０ａは、クリップ本体１０が挿入された状態で、係止部１１をクリップ表部側へ撓ませるだけの空間ｓを確保している。
この被挿入穴２０ａは、そのクリップ幅方向の内寸を、クリップ本体１０前端側の幅方向の外寸と略同一に設定している。したがって、装飾体２０は、クリップ本体１０に対し幅方向へ移動しないように嵌まり合う。
【００２０】
また、被係止部２１は、被挿入穴２０ａ内でクリップ本体１０の突起１１ａに嵌まり合うように、装飾体２０の壁部をクリップ表裏方向へわたって貫通した孔である。
この被係止部２１は、図示例によれば、クリップ本体１０の突起１１ａ形状にならって形成された平面視略矩形状に形成される（図３参照）。
なお、他例としては、被係止部２１を、被挿入穴２０ａ内面側に配置され突起１１ａを没入可能な深さの凹部とすることが可能である。
【００２１】
また、当接部２２は、被挿入穴２０ａ内の奥側（クリップ前端側）において、前後方向へわたるとともに、クリップ表部側からクリップ裏部側へ突出するように設けられている。
この当接部２２の最後端部２２ａは、後述する被係止部２１に対し、クリップ表部側へ離間するとともに、該被係止部２１の一部分に被るように（換言すれば平面視上で重なるように）配置される。
この当接部２２は、クリップ幅方向の中央側に配置される。当接部２２のクリップ幅方向の寸法は、被挿入穴２０ａ内における奥側のクリップ幅方向の寸法（換言すればクリップ本体１０前端側の幅方向の外寸）よりも短く設定されている。したがって、この当接部２２は、クリップ本体１０の凹状部分１０ａの前端側に対し、クリップ幅方向の余裕をもって嵌まり合うことになる。
【００２２】
ガイド凹部２３は、被挿入穴２０ａ内へ挿入された際の係合片部１２を前方へ導くための凹部である。このガイド凹部２３は、被挿入穴２０ａ内の奥側（クリップ前方側）において、当接部２２におけるクリップ裏面側の突端２２ｂと、被挿入穴２０ａ内において前記突端２２ｂに対向する面との間に形成された空間である。
このガイド凹部２３は、クリップ厚さ方向（図１及び２によれば上下方向）の寸法が、クリップ本体１０の係合片部１２の厚さ寸法と略同等に設定されている。
したがって、クリップ本体１０は、被挿入穴２０ａ内へ挿入される際、その前端側がガイド凹部２３に案内されることになる。すなわち、前記挿入中に、クリップ本体１０の前端側がクリップ厚さ方向へ振れるようなことを防ぐことができ、その組立作業性が良好である。
【００２３】
また、装飾部２４は、装飾体２０の表部側（図１によれば上側）の部分を、例えばマスコット等の装飾物の形状に成形してなり、その表面には必要に応じて着色が施される。
【００２４】
次に、クリップ本体１０に対し装飾体２０を組み付ける手順について詳細に説明する。
先ず、図２（ａ）に示すように、クリップ本体１０の前端側に装飾体２０を被せてゆく。換言すれば、装飾体２０の被挿入穴２０ａに相対し、クリップ本体１０の前端側を挿入してゆく。
この挿入中、係止部１１における突起１１ａの傾斜面１１ａ１が被挿入穴２０ａの入口縁によって押圧され、更に突起１１ａの突端が被挿入穴２０ａの内面に押圧されるようになるため、係止部１１は、撓み片部１１ｂをクリップ表部側へ弾性的に撓ませることになる（図２（ｂ）〜（ｃ）参照）。
【００２５】
前記挿入中、クリップ本体１０前端側の係合片部１２が、装飾体２０内奥側のガイド凹部２３に挿入されることで、クリップ本体１０前端側のクリップ表裏方向（図２によれば上下方向）の振れが抑制される。
【００２６】
次に、図２（ｃ）に示すように、相対的に前進する係止部１１の最前端部が、装飾体２０内の当接部２２に当接すると、当接部２２が弾性変形する。したがって、前記当接によって係止部１１の前進は妨げられない。
【００２７】
そして、図２（ｄ）に示すように、係止部１１前端側の突起１１ａが被係止部２１に対応する位置まで、係止部１１が前進すると、係止部１１は、撓み片部１１ｂを弾性的に撓んだ状態から復元させて、突起１１ａを被係止部２１内へ没入させる。
その没入の直後に、当接部２２の最後端部２２ａが弾性的に復元して、係止部１１の背面部（クリップ裏面部）に当接する。
したがって、振動や落下衝撃等に起因して、係止部１１の突起１１ａが、装飾体２０の被係止部２１から外れてしまうようなことを防ぐことができる。
【００２８】
装飾体２０がクリップ本体１０の前端側に装着された状態では、硬質合成樹脂材料からなるクリップ本体１０の裏面前端側に、弾性合成樹脂材料からなる玉部２５が配設され、この弾性変形可能な玉部２５によって被挟持物（例えば紙や衣類等）を滑らないように挟持することができる。
【００２９】
なお、上記実施の形態の筆記具用クリップＡは、特に好ましい態様として、クリップ後端側に対する押圧操作によりクリップ前端側を開放可能な開放操作機能付きクリップを構成したが、他例としては、開放操作機能を有さないクリップを構成するようにしてもよい。
【００３０】
また、上記実施の形態の筆記具用クリップＡは、特に好ましい態様として装飾体２０全体を弾性材料から形成したが、他例としては、当接部２２のみを弾性材料から形成することも可能である。
【００３１】
また、上記実施の形態の筆記具用クリップＡは、装飾体２０がクリップ本体１０から外れてしまうようなことを効果的に防ぐように、係止部１１の背面に当接部２２が当接する構成としたが、他例としては、上記構成から当接部２２を省き、装飾体２０を容易に着脱交換できる態様とすることも可能である。
【図面の簡単な説明】
【００３２】
【図１】本発明に係わる筆記具用クリップの一例を示す縦断面図である。
【図２】同筆記具用クリップの組立手順を（ａ）〜（ｄ）に順次に示す縦断面図である。
【図３】装飾体の一例を示す縦断面斜視図である。
【図４】クリップ本体の一例を示す要部裏面図である。
【符号の説明】
【００３３】
１０：クリップ本体            １１：係止部
１１ａ：突起                  １１ｂ：撓み片部
２０：装飾体                  ２０ａ：被挿入穴
２１：被係止部                ２２：当接部
２５：玉部                    Ａ：筆記具用クリップ
【図１】
2010089453.tif 000003
【図２】
2010089453.tif 000004
【図３】
2010089453.tif 000005
【図４】
2010089453.tif 000006